(57)【要約】【課題】画像形成装置とセンターＰＣが電話回線を介して接続され、画像形成装置から複数の装置情報をセンターＰＣにリアルタイムに送信する通信システムにおいて、通信時間の短縮化を図りつつセキュリティを適正に行えるシステムを提供すること。【解決手段】画像形成装置は、センターＰＣと通信が確立すると、各装置情報について暗号化するか否かを示す個別暗号化情報を読み出す（Ｓ１１１）。ｎ番目の装置情報について暗号化が選択されていることを判断すると（Ｓ１１３で「ＹＥＳ」）、当該装置情報を暗号化してセンターＰＣに送信し（ステップＳ１１４、Ｓ１１５）、暗号化しないことが選択されていると判断すると（Ｓ１１３で「ＮＯ」）、暗号化せずにセンターＰＣに送信する（ステップＳ１１５）。【選択図】図９
2008131314.tif 000002
【特許請求の範囲】
【請求項１】
管理装置と被管理装置とがネットワークを介して接続され、前記被管理装置から管理情報を前記管理装置に送信する通信システムであって、
前記管理情報は、前記被管理装置の状況を表す、種類の異なる複数の装置情報を含み、
前記被管理装置は、
前記装置情報毎に暗号化するか否かについてユーザによる選択を受け付ける個別暗号化選択受付手段と、
前記管理装置と通信を確立した状態で、暗号化しないことが選択されている装置情報を暗号化せず、暗号化することが選択されている装置情報を暗号化して、前記管理装置に送信するリアルタイム送信手段と、
を備えることを特徴とする通信システム。
【請求項２】
前記リアルタイム送信手段は、
前記個別暗号化選択受付手段により暗号化しないことが選択されている装置情報のうち、所定条件を満たす装置情報だけを送信し、所定条件を満たさない装置情報の送信を禁止することを特徴とする請求項１に記載の通信システム。
【請求項３】
前記各装置情報には、送信についての優先順位が対応付けされており、
前記所定条件は、優先順位が所定順位以上であることを特徴とする請求項２に記載の通信システム。
【請求項４】
前記被管理装置は、
前記各装置情報に対する優先順位の入力を受け付ける優先順位受付手段を備えることを特徴とする請求項３に記載の通信システム。
【請求項５】
前記被管理装置は、
前記複数の装置情報を種類に関係なく暗号化するか否かについてユーザによる選択を受け付ける全体暗号化選択受付手段を備え、
前記リアルタイム送信手段は、
前記全体暗号化選択受付手段により暗号化しないことが選択されている場合には、前記個別暗号化選択受付手段により暗号化することが選択されている装置情報の送信を禁止することを特徴とする請求項１乃至４のいずれか１項に記載の通信システム。
【請求項６】
前記管理装置は、
前記装置情報の受信中に発生したデータ受信待ちの状態が所定時間を越えると受信待ち状態を解除して受信待ちとは別の所定の処理を実行し、
前記所定時間は、
暗号化されていない装置情報については第１の値に設定され、暗号化されている装置情報については前記第１の値よりも大きい第２の値に設定されることを特徴とする請求項１乃至５のいずれか１項に記載の通信システム。
【請求項７】
前記管理装置は、
前記装置情報の受信を開始してから所定時間を越えても受信中の状態にある場合には当該装置情報の受信を中断して別の所定の処理を実行し、
前記所定値は、
暗号化されていない装置情報については第１の値に設定され、暗号化されている装置情報については前記第１の値よりも大きい第２の値に設定されることを特徴とする請求項１乃至５のいずれか１項に記載の通信システム。
【請求項８】
前記被管理装置は、シート上に画像を形成する画像形成装置であり、
前記ネットワークは、電話回線を含み、
前記複数の装置情報は、画像形成の総実行回数、使用されたシートのサイズ、シートの種類、装置のトラブル、消耗品の交換に関する情報のうちの２以上の情報であることを特徴とする請求項１乃至７のいずれか１項に記載の通信システム。
【発明の詳細な説明】
【技術分野】
【０００１】
本発明は、管理装置と被管理装置とがネットワークを介して接続されている通信システムに関し、被管理装置が管理装置に対し通信を確立した状態で管理情報を通信する場合におけるセキュリティの向上を図るための技術に関する。
【背景技術】
【０００２】
従来、会社のオフィスなどに設置された複写機等の多数の画像形成装置と、遠隔に位置する管理センターに設置されたセンターＰＣとを電話回線等のネットワークを介して接続し、各画像形成装置からコピー枚数やトラブルの状況などの情報（管理情報）をセンターＰＣに送信して、管理センターにおいて各画像形成装置の稼動状況等を一括管理する遠隔診断システムが実用化されている。
【０００３】
遠隔診断システムには、画像形成装置がセンターＰＣと通信を確立した状態で管理情報を送信する、いわゆるリアルタイム通信方式を用いるものがあり、この方式を用いれば、管理センターは通信時における管理情報を取得でき、例えば画像形成装置にトラブルが発生していることなどを即時に把握できる。
【特許文献１】特開平１１−３２７９５７号公報
【発明の開示】
【発明が解決しようとする課題】
【０００４】
従来からネットワークによる通信ではセキュリティが重要視されている。このことは遠隔診断システムにおいても同じである。画像形成装置の状況把握の即時性とセキュリティ向上を図るには、例えば送信の際に管理情報を暗号化して送信することが考えられるが、暗号化処理に時間を要すればそれだけ全ての情報を送信するための時間が増えることになる。近年では画像形成装置の多機能化が進み、機能毎に送信すべき情報が増えるなど管理情報として送信すべき情報量が多くなっている。通信時間が増えると、通信費の増大やネットワークの占有時間の増大などを招いてしまう。
【０００５】
このような問題は、画像形成装置に限られず、遠隔診断の対象とされる装置（被管理装置）とセンター側の管理装置とがネットワークを介して接続されてなる通信システムにおいて生じ得る。
本発明は、上記の問題点に鑑みてなされたものであって、管理情報をリアルタイム通信方式により通信するシステムにおいて通信時間の短縮化を図りつつセキュリティを適正に行える通信システムを提供することを目的としている。
【課題を解決するための手段】
【０００６】
上記目的を達成するため、本発明に係る通信システムは、管理装置と被管理装置とがネットワークを介して接続され、前記被管理装置から管理情報を前記管理装置に送信する通信システムであって、前記管理情報は、前記被管理装置の状況を表す、種類の異なる複数の装置情報を含み、前記被管理装置は、前記装置情報毎に暗号化するか否かについてユーザによる選択を受け付ける個別暗号化選択受付手段と、前記管理装置と通信を確立した状態で、暗号化しないことが選択されている装置情報を暗号化せず、暗号化することが選択されている装置情報を暗号化して、前記管理装置に送信するリアルタイム送信手段と、を備えることを特徴とする。
【発明の効果】
【０００７】
このように暗号化要否の選択結果に応じて各装置情報を暗号化または暗号化せずに送信するので、被管理装置の状況把握の即時性を図りつつ暗号化が選択された装置情報についてはセキュリティを確保でき、また非暗号化が選択された装置情報については暗号化処理に要する時間が不要になって、全ての装置情報を単に暗号化して送信するよりも全体の通信時間の短縮化を図ることができる。
【０００８】
また、前記リアルタイム送信手段は、前記個別暗号化選択受付手段により暗号化しないことが選択されている装置情報のうち、所定条件を満たす装置情報だけを送信し、所定条件を満たさない装置情報の送信を禁止することを特徴とする。
このようにすれば、暗号化されないことが選択された装置情報といえども所定条件を満たさないものについては送信されないので、その分さらにセキュリティを確保できる。
【０００９】
ここで前記各装置情報には、送信についての優先順位が対応付けされており、前記所定条件は、優先順位が所定順位以上であることを特徴とする。
さらに、前記被管理装置は、前記各装置情報に対する優先順位の入力を受け付ける優先順位受付手段を備えることを特徴とする。
このようにすれば、ユーザは非暗号化の装置情報であって送信を禁止したいものを選択入力することが可能になり便宜である。
【００１０】
さらに、前記被管理装置は、前記複数の装置情報を種類に関係なく暗号化するか否かについてユーザによる選択を受け付ける全体暗号化選択受付手段を備え、前記リアルタイム送信手段は、前記全体暗号化選択受付手段により暗号化しないことが選択されている場合には、前記個別暗号化選択受付手段により暗号化することが選択されている装置情報の送信を禁止することを特徴とする。
【００１１】
また、前記管理装置は、前記装置情報の受信中に発生したデータ受信待ちの状態が所定時間を越えると受信待ち状態を解除して受信待ちとは別の所定の処理を実行し、前記所定時間は、暗号化されていない装置情報については第１の値に設定され、暗号化されている装置情報については前記第１の値よりも大きい第２の値に設定されることを特徴とする。
このように受信待ち状態を解除するまでの時間を暗号化される場合の方を長くとるようにすれば、被管理装置において装置情報の暗号化を行うのにある程度の時間を要してもその途中で管理装置において受信待ち状態が解除されてしまうといったことを抑制できる。
【００１２】
さらに、前記管理装置は、前記装置情報の受信を開始してから所定時間を越えても受信中の状態にある場合には当該装置情報の受信を中断して別の所定の処理を実行し、前記所定値は、暗号化されていない装置情報については第１の値に設定され、暗号化されている装置情報については前記第１の値よりも大きい第２の値に設定されることを特徴とする。
このように受信中断とするまでの時間を暗号化される場合の方を長くとるようにすれば、被管理装置において装置情報の暗号化を行うのにある程度の時間を要してもその途中で管理装置において受信を中断してしまうといったことを抑制できる。
【００１３】
また、前記被管理装置は、シート上に画像を形成する画像形成装置であり、前記ネットワークは、電話回線を含み、前記複数の装置情報を、画像形成の総実行回数、使用されたシートのサイズ、シートの種類、装置のトラブル、消耗品の交換に関する情報のうちの２以上の情報とすることができる。
【発明を実施するための最良の形態】
【００１４】
以下、本発明に係る通信システムの実施の形態について図面を参照しながら説明する。
（第１の実施の形態）
図１は、通信システム１の全体構成の一例を示す図である。
同図に示すように、通信システム１は、多機能複合機である複数のＭＦＰ（Multiple Function Peripheral）１０、１０・・と、センターＰＣ（パーソナルコンピュータ）２０とが電話回線２を含むネットワークを介して接続されてなる。各ＭＦＰ１０とセンターＰＣ２０は、モデム３を介して電話回線２を通じてデータを送受信することができる。
【００１５】
ＭＦＰ１０は、原稿画像を読み取って画像データを得るスキャンジョブ、読み取って得られた画像データに基づいてシート上に画像を形成するコピージョブ等の各種ジョブを実行する機能を有する。また、ＭＦＰ１０は、電話回線２を介してセンターＰＣ２０に管理情報を送信する機能を有する。管理情報には、自装置の状況を表わす、種類の異なる複数の装置情報、例えばコピー枚数、トラブル発生、装置内温度等の情報が含まれる。各装置情報は、装置情報毎に予め選択された暗号化要否の設定に従って暗号化され、または暗号化されずにセンターＰＣ２０に送信される。
【００１６】
センターＰＣ２０は、ハードディスクなどを有するコンピュータ本体と、この本体に接続されるモニタ、キーボードなどのほか、上記ハードディスクに予めインストールされたネットワーク対応のＯＳ（Operating System）などを有している。センターＰＣ２０は、各ＭＦＰ１０からの装置情報を受信すると、複数の装置情報のうち、暗号化されているものについては復号化し、暗号化されていないものについてはそのままの状態でハードディスクに格納する。センターＰＣ２０の利用者（管理者）は、各ＭＦＰ１０からの装置情報をモニタに表示させて参照することで、通信時点における各ＭＦＰ１０の状況、例えばコピー枚数がメンテナンスに必要な枚数に達していること、トラブルが発生していることなどを即時に知ることができる。
【００１７】
図２は、ＭＦＰ１０の構成を示す図である。
同図に示すように、ＭＦＰ１０は、スキャナ部１１、プリンタ部１２、操作パネル１３および制御部１４を備えている。
スキャナ部１１は、セットされた原稿の画像を読み取って、原稿の画像データを得るものである。プリンタ部１２は、公知の電子写真方式等により画像データに基づいて当該画像を用紙等のシートに印刷するものである。
【００１８】
操作パネル１３は、スタートキーやテンキーなどの各種キーのほか、液晶表示部１５を備えている。液晶表示部１５の表面にはタッチパネルが積層されており、ユーザによる選択等のタッチ入力を受け付けるための画面等が表示されると共に当該画面を介してユーザからの入力を受け付ける。
制御部１４は、主な構成要素として通信制御部１０１、ＣＰＵ１０２、制御に必要なプログラムが格納されたＲＯＭ１０３、プログラム実行時のワークエリアとなるＲＡＭ１０４、装置情報格納部１０５、送信データ生成部１０６、暗号化処理部１０７、全体暗号化設定部１０８、個別暗号化設定部１０９、全体暗号化情報格納部１１０および個別暗号化情報格納部１１１を備えており、各部はバス１００を介してデータのやりとりを行えるようになっている。
【００１９】
通信制御部１０１は、モデム３に接続するためのインターフェースの機能を有し、電話回線２を介してのセンターＰＣ２０との通信を統括的に制御する。
装置情報格納部１０５は、不揮発性メモリからなり、装置情報が格納される。
図３は、装置情報が格納されている装置情報テーブル１１５の構成を示す図である。同図は、コピー枚数カウンタ、用紙サイズカウンタ、トラブル、装置内温度などが複数の装置情報として格納されている例を示している。
【００２０】
コピー枚数カウンタは、コピー等のジョブにより過去に使用された用紙の総計（累積値）を示す情報であり、用紙サイズカウンタは、用紙サイズ毎の用紙の総計を示す情報である。トラブルは、紙詰まりや故障等が発生した場合のその内容を示す情報である。また、装置内温度は、装置内の温度を示す情報である。
コピー枚数カウンタと用紙サイズカウンタは、ジョブにより１枚の用紙が使用される毎に更新される。具体的には、装置情報テーブル１１５の現在値に「１」をインクリメントした値に書き換えられる。トラブルは、紙詰まり等が検出されると、検出された内容が装置情報テーブル１１５に書き込まれ、紙詰まり等が解除されると、トラブルが発生していない旨に書き換えられる。また、装置内温度は、ＭＦＰ１０の内部に配された温度検出手段（不図示）により温度が検出される毎に更新される。これら装置情報の更新は、その起因の発生毎にＣＰＵ１０２により即時に実行される。なお、装置情報が上記のものに限られないことはいうまでもなく、例えば使用されるシートの種類や、消耗品に関する情報、具体的にはトナーの交換要否や交換時期に近づいていることを示す情報等とすることもできる。
【００２１】
図２に戻り、送信データ生成部１０６は、管理情報を送信する際にそのデータを生成する。暗号化処理部１０７は、暗号化することが選択されている装置情報を暗号化する。暗号化は、公知の方法が用いられる。
全体暗号化設定部１０８は、全ての装置情報を種類に関係なく暗号化するか否かについて利用者、例えばサービスマンによる選択を受け付けて設定する。ここでは、サービスマンからの指示、例えば操作パネル１３上に配された当該選択のための専用キーが押下されると、全体暗号化設定部１０８は、図４に示す画面１２１を液晶表示部１５に表示させる。サービスマンは、画面１２１上の暗号化要否を示すチェックボックス１２２の要または否のボックスにタッチ入力等でチェックを入れることで要否を選択することができる。全体暗号化設定部１０８は、画面１２１のＯＫキーが押されると、選択を受け付けて、選択結果を全体暗号化情報として全体暗号化情報格納部１１０に格納する。これにより、暗号化要否が設定される。
【００２２】
図５は、全体暗号化情報が格納されている全体暗号化情報テーブル１３１の構成を示す図である。同図は、暗号化することが選択された例を示している。なお、設定方法としては、テーブルを用いる構成に限られず、例えば要否を示すフラグを立てる方法を用いるとしても良い。このことは後述の個別暗号化情報の設定について同様である。
図２に戻り、個別暗号化設定部１０９は、各装置情報を個別に暗号化するか否かについてサービスマンによる選択を受け付けて設定する。ここでは、サービスマンからの指示、例えば操作パネル１３上に配された個別選択のための専用キーが押下されると、個別暗号化設定部１０９は、図６に示す画面１２５を液晶表示部１５に表示させる。サービスマンは、画面１２５上におけるチェックボックス１２６の各装置情報に対応する要または否のボックスにタッチ入力等でチェックを入れることで装置情報毎に個別に要否を選択することができる。また、頁アップ／ダウンキー１２７の押下により前後の頁を表示させることができる。
【００２３】
サービスマンは、例えばコピー枚数やトラブルなどの秘密にすべきであると判断する装置情報について暗号化を選択し、装置内温度など機密性が低いと判断する装置情報については暗号化しないことを選択することができる。
個別暗号化設定部１０９は、画面１２５のＯＫキーが押されると、選択を受け付けて、選択結果を個別暗号化情報として個別暗号化情報格納部１１１に格納する。
【００２４】
図７は、個別暗号化情報が格納されている個別暗号化情報テーブル１３２の構成を示す図である。同図は、コピー枚数カウンタ、用紙サイズカウンタ、トラブルを示す各装置情報について暗号化することが選択され、装置内温度を示す装置情報について暗号化しないことが選択された例を示している。このように装置情報を全体と個別で分けて暗号化要否の選択を行えるようにしている理由については、後述する。
【００２５】
以下、装置情報の種類に関係なく暗号化するか否かを選択することを、装置情報全体を暗号化するか否かを選択するといい、装置情報毎に暗号化するか否かを選択することを、装置情報を個別に暗号化するか否かを選択するという。
図１に戻って、ＣＰＵ１０２は、ＲＯＭ１０３の制御プログラムに基づいて、スキャナ部１１、プリンタ部１２の各部の動作を制御し、円滑なコピー等の動作を実現する。また、必要な画面を液晶表示部１５に表示させると共に画面を介して利用者によるキー入力等を受け付ける。さらに、センターＰＣ２０に管理情報を送信する送信処理を実行する。
【００２６】
図８は、送信処理の内容を示すフローチャートである。この処理は、例えば所定時間毎、トラブル発生時／解除時、トナー等の消耗品の消費により交換／補充が必要になった時などに実行される。これらの１つであっても良いし複数を実行時期としても良い。これら以外を実行時期としても良い。
同図に示すように、送信の実行時期であることを判断すると（ステップＳ１０１で「ＹＥＳ」）、センターＰＣ２０に電話回線２を通じて発呼して（ステップＳ１０２）、センターＰＣ２０との間で所定の信号をやりとりしてネゴシエーションを行い、通信を確立する（ステップＳ１０３）。
【００２７】
全体暗号化情報格納部１１０に格納されている全体暗号化情報を読み出し（ステップＳ１０４）、読み出した情報から装置情報全体の暗号化の要否についていずれが選択されているかを判断する（ステップＳ１０５）。図５に示す例の場合には、暗号化することが選択されていると判断される。
暗号化が選択されていることを判断すると（ステップＳ１０５で「ＹＥＳ」）、第１送信処理を実行して（ステップＳ１０６）、ステップＳ１０１に戻る。一方、非暗号化が選択されてことを判断すると（ステップＳ１０５で「ＮＯ」）、第２送信処理を実行して（ステップＳ１０７）、ステップＳ１０１に戻る。
【００２８】
図９は、第１送信処理のサブルーチンの内容を示すフローチャートである。
同図に示すように、まず個別暗号化情報格納部１１１に格納されている個別暗号化情報を読み出す（ステップＳ１１１）。そして、変数ｎの値を「１」に設定する（ステップＳ１１２）。このｎの値は、図７に示す装置情報の番号（Ｎｏ）に相当する。
ｎ番目の装置情報を暗号化することが選択されているか否かを判断する（ステップＳ１１３）。ｎ＝１とすると、図７に示す例の場合、１番目の装置情報は、コピー枚数カウンタであるので、暗号化が選択されていると判断される。例えばｎ＝４の場合には４番目の装置情報は装置内温度であるので、暗号化しないことが選択されていると判断される。
【００２９】
暗号化が選択されていることを判断すると（ステップＳ１１３で「ＹＥＳ」）、ｎ番目の装置情報を暗号化して（ステップＳ１１４）、センターＰＣ２０に送信する（ステップＳ１１５）。具体的には、ｎ番目の装置情報を装置情報格納部１０５から読み出し、読み出した装置情報を暗号化処理部１０７で暗号化する。ここで装置情報は、情報名とその内容とを示す文字や数値等のデータからなる。暗号化は、装置情報を構成する文字や数値等のデータについてＮ（所定値）バイト毎に実行される。送信データ生成部１０６では暗号化された装置情報に図１０に示すような所定のコマンドを付加したデータブロック１３５を生成する。生成されたデータブロック１３５のデータは、ビット単位で通信制御部１０１を介して送信される。
【００３０】
図１０は、公知のベーシック手順によるデータ構成例の概略図であり、ＳＴＸはデータブロックのスタートを識別するためのコマンド、ＥＴＸは終了を識別するためのコマンドである。ＤＳは、暗号化されているか否かを示すコマンドであり、暗号化されていることはＤＳ１で、暗号化されていないことはＤＳ０で示されるようになっている。同図は、暗号化されていることを示している。他のコマンドは省略されている。装置情報は、ＤＳコマンドとＥＴＸコマンドで挟まれた部分に挿入される。このことは暗号化されている場合も、暗号化されていない場合も同様である。
【００３１】
なお、データブロック１３５は、ビット単位で順次送信されるが、上記のように本実施の形態の暗号化はＮバイト分を１単位に実行されるので、Ｎバイト分の暗号化の開始から終了するまでの間はデータが送信されていない時間が実際には存在することになる。暗号化されない場合には、基本的にこのような未送信の時間が存在せず順次送信される。ここではベーシック手順による例を説明したが、センターＰＣ２０との間で取り決めされて管理情報を送受信できると共に暗号化の有無を確認できればこれに限られず、別の手順、方式等を用いるとしても良い。
【００３２】
図９に戻り、ステップＳ１１３で暗号化しないことが選択されていることを判断すると、ｎ番目の装置情報を暗号化せずにセンターＰＣ２０に送信する（ステップＳ１１５）。すなわち、送信データ生成部１０６において、暗号化していないｎ番目の装置情報の前後にＳＴＸ等の所定のコマンドを付加したデータブロック１３５を生成する。この場合、ＤＳコマンドはＤＳ０にされる。
【００３３】
ステップＳ１１６では、（ｎ＋１）番目の装置情報が存在するか否か、すなわち全ての装置情報を送信したか否かを判断する。
（ｎ＋１）番目の装置情報が存在することを判断すると（ステップＳ１１６で「ＹＥＳ」）、現在のｎの値に「１」をインクリメントして（ステップＳ１１７）、ステップＳ１１３に戻り、ステップＳ１１３以降の処理を実行する。
【００３４】
ステップＳ１１６で（ｎ＋１）番目の装置情報が存在しない、すなわち全ての装置情報が送信されたことを判断するまで、ステップＳ１１３〜Ｓ１１７の処理が繰り返し実行される。これにより、１番目からｎ番目までの装置情報が装置情報毎に暗号化要否の選択に応じて暗号化され、または暗号化されずに順次センターＰＣ２０に送られることになる。
センターＰＣ２０は、受信した装置情報のデータのＤＳコマンドを参照することにより、装置情報毎に当該装置情報が暗号化されたものであるか否かを判別することができる。
【００３５】
（ｎ＋１）番目の装置情報が存在しないことが判断されると（ステップＳ１１６で「ＮＯ」）、メインルーチンにリターンする。第１送信処理では、サービスマンによる暗号化の選択通りに装置情報が送信されることになる。
従って、例えば装置情報全体を暗号化すること、かつ個別に秘密にすべき装置情報の暗号化を選択すると共に機密性が低い装置情報を暗号化しないことを選択しておけば、秘密にすべき装置情報については仮に送信時にネットワーク上で漏洩したとしても暗号化により秘密を守ることができ、機密性が低い装置情報については暗号化処理に要する時間が不要になる分、全ての装置情報を暗号化する場合に比べて通信時間全体の短縮化を図ることができる。
【００３６】
図１１は、第２送信処理のサブルーチンの内容を示すフローチャートである。
同図に示すように、個別暗号化情報を読み出し（ステップＳ１２１）、変数ｎの値を「１」に設定した後（ステップＳ１２２）、ｎ番目の装置情報を暗号化することが選択されているか否かを判断する（ステップＳ１２３）。これらの処理は、上記ステップＳ１１１〜Ｓ１１３と同じである。
【００３７】
ｎ番目の装置情報の暗号化が選択されていることを判断すると（ステップＳ１２３で「ＹＥＳ」）、ｎ番目の装置情報の送信を禁止して（ステップＳ１２４）、ステップＳ１２６に移る。一方、暗号化しないことが選択されていることを判断すると（ステップＳ１２３で「ＮＯ」）、ｎ番目の装置情報を暗号化せずにセンターＰＣ２０に送信する（ステップＳ１２５）。この処理は、上記ステップＳ１１３で「ＮＯ」、Ｓ１１５の処理と同様である。
【００３８】
ステップＳ１２６では、（ｎ＋１）番目の装置情報が存在するか否かを判断する。（ｎ＋１）番目の装置情報が存在することを判断すると（ステップＳ１２６で「ＹＥＳ」）、現在のｎの値に「１」をインクリメントして（ステップＳ１２７）、ステップＳ１２３に戻り、ステップＳ１２３以降の処理を実行する。
ステップＳ１２６で（ｎ＋１）番目の装置情報が存在しないことを判断するまで、ステップＳ１２３〜Ｓ１２７の処理を繰り返し実行する。このことは、上記第１の送信処理と同様である。ステップＳ１２６で（ｎ＋１）番目の装置情報が存在しないことを判断すると、メインルーチンにリターンする。
【００３９】
第２の送信処理では、個別に暗号化しないことが選択されている装置情報についてはサービスマンの選択通りに暗号化されずにセンターＰＣ２０に送信されるが、暗号化することが選択された装置情報については送信されない。装置情報全体を暗号化しないことが選択されているので、本来であれば暗号化せずに送信すべきであるが、個別に暗号化することが選択されているので、この個別の選択の方を優先したものである。
【００４０】
従って、例えばＭＦＰ１０の顧客が外部（センターＰＣ２０）への送信を許可しても良いデータを当該顧客が把握できるものに制限しているような場合には、装置情報全体を暗号化しないことを選択すれば、暗号化されない装置情報だけが送信され、暗号化すべき装置情報は送信されないので漏洩を防止でき、暗号化されない装置情報であれば、電話回線上の信号の種類を検出、解析する公知のテスターにより解析することが可能になり、顧客は、その解析結果を見ることで送信されているデータが自己の画像情報等ではないことを確認することができ、顧客の希望に沿うものにすることができる。
【００４１】
図１２は、センターＰＣ２０の構成を示す図である。
同図に示すように、センターＰＣ２０は、本体制御部２１、ディスプレイ２２、キーボード２３およびマウス２４を備えている。
本体制御部２１は、主な構成要素として通信制御部２０１、全体制御部２０２、装置情報格納部２０３、復号化処理部２０４およびタイムアウト情報格納部２０５を備えており、各部はバス２００を介してデータのやりとりを行えるようになっている。
【００４２】
通信制御部２０１は、モデム３に接続するためのインターフェースの機能を有し、電話回線２を介しての各ＭＦＰ１０との通信を統括的に制御する。
全体制御部２０２は、後述する装置情報の受信処理を実行する。
装置情報格納部２０３は、ハードディスクなどの不揮発性メモリからなり、各ＭＦＰ１０からの装置情報が格納される。復号化処理部２０４は、各ＭＦＰ１０から受信した装置情報のうち、暗号化されているものを復号化する。復号化された装置情報は、装置情報格納部２０３に格納される。
【００４３】
タイムアウト情報格納部２０５は、不揮発性メモリからなり、装置情報を受信するときの最大待ち時間（タイムアウト）を示すタイムアウト情報が格納される。
図１３は、タイムアウト情報が格納されているタイムアウト情報テーブル２１１の構成を示す図である。同図に示すタイムアウトＴｗは、ＭＦＰ１０からのデータ受信の際に次のデータを受信するまでの待ち時間として許容できる時間の最大値を示しており、Ｔｚは、ＭＦＰ１０との１回の通信に要する時間として許容できる時間の最大値を示している。ここでは、Ｔｚ＞Ｔｗの関係になっている。データ受信の際にタイムアウトが検出されると、何らかの異常があったとして後述のように再送要求や回線断等の別の処理が実行される。
【００４４】
タイムアウトＴｗ、Ｔｚは、暗号化された装置情報を受信する場合には値Ｔｗｄ、Ｔｚｄが適用され、暗号化されていない装置情報を受信する場合には、値Ｔｗｎ、Ｔｚｎが適用される。これら値は、Ｔｗｄ＞Ｔｗｎ、Ｔｚｄ＞Ｔｚｎの関係になっている。このような関係にしているのは、次の理由による。
すなわち、上記のようにＭＦＰ１０では暗号化がＮバイト単位で行われ、暗号化後にデータが順次送信されるので、暗号化処理中にデータ送信が行われていない時間が存在する。一方で暗号化されていない場合にはそのような時間がほとんど存在しない。従って、暗号化する場合と暗号化しない場合とでタイムアウトの検出条件を同じとすると、タイムアウトが頻繁に検出されるおそれが生じる。また、暗号化しない場合の値を暗号化する場合に合わせて長くすると暗号化しない場合の本来のタイムアウトによる再送要求等が遅延することになるからである。
【００４５】
タイムアウト情報は、予め適切な値が求められて、タイムアウト情報格納部２０５に格納される。なお、各値をキーボード２３等から変更可能なように構成しても良い。
図１４〜図１６は、装置情報の受信処理の内容を示すフローチャートである。この処理は、ＭＦＰ１０との間で通信が確立されている間に実行される。
図１４に示すように、まずタイムアウトＴｗ、Ｔｚの値を非暗号化データ用の値Ｔｗｎ、Ｔｚｎに設定する（ステップＳ２０１）。
【００４６】
全体制御部２０２内部のデータ待ち時間タイマーＴ１とデータ受信中タイマーＴ２のカウントを開始する（ステップＳ２０２）。データ受信待ちであるか否かを判断する（ステップＳ２０３）。受信待ちでない、すなわちデータが送信されて来たことを判断すると（ステップＳ２０３で「ＮＯ」）、図１５に示すように送信されて来たデータを受信し（ステップＳ２１２）、受信したデータが制御用のデータであるか否かを判断する（ステップＳ２１３）。この制御用のデータとは、上記の図１０に示す所定のコマンド、すなわち装置情報以外のデータに相当する。
【００４７】
制御用のデータであることを判断すると（ステップＳ２１３で「ＹＥＳ」）、開始用のものか否かを判断する（ステップＳ２１８）。開始用とは、装置情報よりも前に付加されたコマンドであり、図１０の例ではＳＴＸ、ＤＳ等に相当する。
開始用のデータであることを判断すると（ステップＳ２１８で「ＹＥＳ」）、全体制御部２０２内に配されたＲＡＭ（不図示）等の記憶領域内における受信データ格納用の領域をクリアし（ステップＳ２２１）、図１４のステップＳ２０９に移り、タイマーＴ１、Ｔ２をリセットした後、ステップＳ２０１に戻り、ステップＳ２０１以降の処理を実行する。ステップＳ２０２でタイマーＴ１、Ｔ２の再カウントが開始される。
【００４８】
受信したデータが開始用ではなく（ステップＳ２１８で「ＮＯ」）、終了用でもなく（ステップＳ２１９で「ＮＯ」）、暗号化識別用、すなわちＤＳコマンドであることを判断すると（ステップＳ２２２で「ＹＥＳ」）、図１６のステップＳ２２３に移り、ＤＳコマンドを参照して装置情報が暗号化されているか否かを判断する。ＤＳコマンドがＤＳ１である、すなわち暗号化されていることを判断すると（ステップＳ２２３で「ＹＥＳ」）、これから受信する装置情報のデータが暗号化データであることを記憶、例えば暗号化を示すフラグを立てておき（ステップＳ２２４）、タイムアウトＴｗ、Ｔｚの値を暗号化データ用の値Ｔｗｄ、Ｔｚｄに設定し（ステップＳ２２５）、ステップＳ２２７に移る。
【００４９】
一方、ＤＳコマンドがＤＳ０である、すなわち暗号化されていないことを判断すると（ステップＳ２２３で「ＮＯ」）、これから受信する装置情報のデータが暗号化データでないことを記憶、例えば非暗号化を示すフラグを立てておき（ステップＳ２２６）、ステップＳ２２７に移る。
ステップＳ２２７では、タイマーＴ２の値がＴｚの値を越えているか否かを判断する。このＴｚの値は、暗号化されたデータであればＴｚｄになっており、暗号化されていないデータであればＴｚｎである。Ｔ２＞Ｔｚであるということは、今回のＭＦＰ１０との通信における通信時間が閾値を越えていることを意味する。Ｔ２＞Ｔｚであることを判断すると、図１４のステップＳ２０７に移る。ステップＳ２０７以降の処理については後述する。
【００５０】
Ｔ２≦Ｔｚと判断すると（ステップＳ２２７で「ＮＯ」）、図１４のステップＳ２０３に戻る。ステップＳ２０３以降の処理において装置情報の受信を判断すると（ステップＳ２１２、Ｓ２１３で「ＮＯ」）、暗号化データであるか否かを判断する（ステップＳ２１４）。この判断は、上記暗号化を示すフラグを参照することなどにより行われる。
暗号化データであることを判断すると（ステップＳ２１４で「ＹＥＳ」）、Ｎバイト分を受信したか否かを判断する（ステップＳ２１５）。このＮとは、上記の暗号化時における単位とされたＮバイトのＮに相当する。
【００５１】
Ｎバイト分をまだ受信していないことを判断すると（ステップＳ２１５で「ＮＯ」）、ステップＳ２１２に戻る。Ｎバイト分を受信したことを判断すると（ステップＳ２１５で「ＹＥＳ」）、受信したＮバイト分のデータを復号化して（ステップＳ２１６）、復号化後のデータを装置情報として上記クリアされた格納領域に格納して（ステップＳ２１７）、図１４のステップＳ２０３に戻る。
【００５２】
一方、暗号化されていないデータであることを判断すると（ステップＳ２１４で「ＮＯ」）、受信したデータを装置情報として順次、上記格納領域に格納して（ステップＳ２１７）、図１４のステップＳ２０３に戻る。
受信データが制御用であり、データブロックの最後（終了）を示すもの、図７の例ではＥＴＸコマンドであることを判断すると（ステップＳ２１９で「ＹＥＳ」）、格納された装置情報の解析を行う（ステップＳ２２０）。例えば、受信した装置情報にトラブルの内容が含まれていた場合には、緊急の可能性が高いのでその旨をディスプレイ２２に表示等させて管理者に通知する。また、格納された装置情報を装置情報格納部２０３に格納するためのデータ形式に変換した後、装置情報格納部２０３の所定の格納領域に格納する。
【００５３】
受信データの解析後、ステップＳ２２１の処理の後、ステップＳ２０９に移り、次のデータブロックの受信を待つ。なお、受信データが制御用であるが開始用、終了用、暗号化識別用のいずれでもないことを判断すると（ステップＳ２２２で「ＮＯ」）、当該受信コマンドに基づく処理を実行して、図１６のステップＳ２２７に移る。
図１４のステップＳ２０３においてデータ受信待ちの状態になったことを判断すると、タイマーＴ１の値がＴｗの値を越えているか否かを判断する（ステップＳ２０４）。このＴｗの値は、暗号化されたデータであればＴｗｄになっており、暗号化されていないデータであればＴｚｎのままである。Ｔ１＞Ｔｗであるということは、データ受信中において前にデータを受信してから次のデータを受信するまでの時間が閾値を越えていることを意味する。
【００５４】
Ｔ１＞Ｔｗではない、すなわちＴ１≦Ｔｗであることを判断すると（ステップＳ２０４で「ＮＯ」）、Ｔ２＞Ｔｚであるか否かを判断する（ステップＳ２０５）。このＴｚは、上記のように暗号化されたデータであればＴｚｄ、暗号化されていないデータであればＴｗｎである。Ｔ２＞Ｔｚではないことを判断すると（ステップＳ２０５で「ＮＯ」）、ステップＳ２０３に戻り、データ受信待ちか否かを判断する。
【００５５】
Ｔ１＞Ｔｗ、Ｔ２＞Ｔｚになったことを判断する前にデータを受信して受信待ちの状態が解除されると（ステップＳ２０３で「ＮＯ」）、ステップＳ２１２に移り、以降の処理を実行する。センターＰＣ２０は、ＭＦＰ１０からの装置情報の全てを受信すると、通信を終了すべく、ＭＦＰ１０との間で通信終了のためのネゴシエーションを行い、当該処理を終了すると共に回線を切断する。
【００５６】
一方、データ受信待ちの状態が継続して、Ｔ１＞Ｔｗになったことを判断すると（ステップＳ２０４で「ＹＥＳ」）、タイマーＴ１のタイムアウトを検出し（ステップＳ２０６）、送信元のＭＦＰ１０に対しデータの再送要求を行って（ステップＳ２０８）、ステップＳ２０９に移る。そして、ステップＳ２０１に戻り、ステップＳ２０２の後、Ｓ２０３に移る。ＭＦＰ１０からデータが送信されて来るまで、ステップＳ２０３〜Ｓ２０９、Ｓ２０１〜Ｓ２０３の処理を繰り返し実行して再送要求を行う。また、タイマーＴ２の値がＴｚの値を越える、すなわちＴ２＞Ｔｚになったことを判断すると（ステップＳ２０５で「ＹＥＳ」）、タイマーＴ２のタイムアウトを検出する（ステップＳ２０７）。検出回数がＭ回目（Ｍは所定値）でなければ（ステップＳ２１０で「ＮＯ」）、ステップＳ２０８に移り、ＭＦＰ１０に対しデータの再送要求を行う（ステップＳ２０８）。
【００５７】
再送要求してもデータが送られて来ない状態が続き、Ｔ２のタイムアウトの検出回数がＭ回目に達したことを判断すると（ステップＳ２１０で「ＹＥＳ」）、これ以上の時間を受信待ちに費やしても受信ができないとみなして強制的に通信を切断して（ステップＳ２１１）、処理を終了する。この際、管理者に強制切断した旨をディスプレイ２２に表示等することで通知するとしても良い。
【００５８】
このように装置情報を受信する際のタイムアウト検出のための時間Ｔｗ、Ｔｚを暗号化されていない場合よりも暗号化されている場合の方を長くとることで、通信が確立した状態で送信元のＭＦＰ１０側で暗号化処理が行われても暗号化の時間待ちによりタイムアウトが検出されるといったことが生じ難く、装置情報を円滑に受信することができる。また、暗号化されていない場合にタイムアウト検出の時間を可能な範囲で短くすることで１回の通信にかかる時間を短縮でき、１台のセンターＰＣ２０においてより多くのＭＦＰを管理することが可能になる。
【００５９】
なお、上記所定値Ｍのデータは、ＲＯＭ１０３に予め格納されるが、例えばサービスマン等が操作パネル１３から設定可能なように構成するとしても良い。
（第２の実施の形態）
上記第１の実施の形態では、ＭＦＰ１０が全ての装置情報を送信するとしたが、本実施の形態では、所定条件を満たす装置情報だけを送信するとしており、この点が第１の実施の形態と異なっている。以下、説明の重複を避けるため、第１の実施の形態と同じ内容についてはその説明を省略し、同じ構成要素については、同符号を付すものとする。
【００６０】
図１７は、本実施の形態に係る個別暗号化情報テーブル１３３の構成例を示す図である。同図の情報名、暗号化の要否は、第１の実施の形態に係る個別暗号化情報テーブル１３２と同じものであるが、本実施の形態では優先順位、送信時期が追加されている。
優先順位は、装置情報の送信についての優先順位の意味であり、後述のように優先順位に応じて送信されるものと送信されないものが選択される。
【００６１】
送信時期は、装置情報を送信する時期の具体例を示しており、同図では、（ａ）一定時間が経過する毎、（ｂ）トラブルにより装置が使用不可の状態になったとき、（ｃ）トナー等の消耗材が消耗されて交換の時期に達したときとしている。各送信時期について丸印が付された装置情報が当該送信時期で送信される場合の送信対象とされる。例えば、Ｎｏ．３のトラブルは、（ａ）と（ｂ）のいずれかの時期に達した場合に送信される。
【００６２】
優先順位と送信時期は、例えばサービスマン等が操作パネル１３から設定できるように構成しても良いし、ＲＯＭ１０３に予め格納する構成をとるとしても良い。このことは、後述する所定値Ｔについて同様である。
図１８は、本実施の形態に係る第１送信処理のサブルーチンの内容を示すフローチャートである。同図は、第１の実施の形態に係る第１送信処理と基本的に同じであるが、ステップＳ１１２とＳ１１３の間にＳ１３１が実行され、Ｓ１１３とＳ１１６の間にＳ１３２、Ｓ１３３が実行される点が異なっている。本実施の形態の送信処理は、上記送信時期（ａ）〜（ｃ）のいずれかに達したときに実行されるものとする。
【００６３】
ステップＳ１３１では、ｎ番目の装置情報が送信対象になっているか否かを判断する。ｎ＝１とすると、図１７に示す例の場合、コピー枚数カウンタは、送信時期（ａ）〜（ｃ）のいずれでも送信対象となっているので送信対象であることを判断する。また、ｎ＝２とすると、送信時期が（ｂ）の場合には、送信対象ではないことを判断する。
送信対象ではないことを判断すると（ステップＳ１３１で「ＮＯ」）、ステップＳ１１６に移る。この場合、ｎ番目の装置情報は送信されない。
【００６４】
一方、送信対象であることを判断すると（ステップＳ１３１で「ＹＥＳ」）、ステップＳ１１３に移る。ステップＳ１１３では、暗号化が選択されているか否かを判断する。ここで、暗号化が選択されていることを判断すると（ステップＳ１１３で「ＹＥＳ」）、ステップＳ１１４以降の処理を実行する。この処理は、第１の実施の形態と同様である。
暗号化が選択されていないことを判断すると（ステップＳ１１３で「ＮＯ」）、ｎ番目の装置情報の優先順位を個別暗号化情報テーブル１３３の優先順位欄を参照して判定する（ステップＳ１３２）。例えば、ｎ＝３の場合には優先順位が２と判定される。
【００６５】
判定した優先順位が所定値Ｔ（例えば、Ｔ＝３）番以内に入っているか否かを判断する（ステップＳ１３３）。３番以内であることを判断すると（ステップＳ１３３で「ＹＥＳ」）、ステップＳ１１５に移り、ｎ番目の装置情報をセンターＰＣ２０に暗号化せずに送信する。この場合は、第１の実施の形態と同じである。
判定した優先順位が３番以内に入っていない、すなわち４番以降であることを判断すると（ステップＳ１３３で「ＮＯ」）、ステップＳ１１６に移る。この場合、ｎ番目の装置情報は送信されない。暗号化されない複数の装置情報のうち、特定のものだけを送信するためである。暗号化が選択されていない装置情報は、機密性が低い情報ということができるが、ネットワーク上で盗み見られても良いというものでもない。そこで、必要なものだけを優先順位から特定して送信することで、仮に盗み見られたとしても全部が見られてしまうことを防止できる。優先順位と所定値Ｔは、必要最小限の装置情報だけが送信されるように決めることができる。
【００６６】
上記では第１送信処理について説明したが、第２送信処理についても同様である。すなわち、まず送信時期から装置情報毎に送信対象の情報であるか否かを判断する。送信対象と判断された装置情報かつ暗号化されないことが選択されている装置情報について、優先順位に基づいて送信するか否かを判断する。送信することが判断された場合にだけ当該装置情報が送信される。
【００６７】
このように本実施の形態では、暗号化が選択されていない装置情報のうち、特定のものだけを送信するので、その分、送信される装置情報の量が少なくなるが盗み見られたときのダメージを低減できる。また、送信時期に応じて装置情報を送信するか否かを決めるので、送信すべき時期に必要な装置情報を送信でき、通信に要する時間の短縮化を図れる。
なお、装置情報の送信時期が上記（ａ）〜（ｃ）に限られないことはいうまでもない。装置情報に基づく管理を行うに際し、装置情報の送信が必要になると考えられる適当な時期とすることができる。
【００６８】
本発明は、通信システムに限られず、当該システムに含まれるＭＦＰ（被管理装置）やセンターＰＣ（管理装置）にも適用することができる。また、装置情報の通信方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６９】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００７０】
（変形例）
以上、本発明を実施の形態に基づいて説明してきたが、本発明は、上述の実施の形態に限定されないのは勿論であり、以下のような変形例が考えられる。
（１）上記実施の形態では、電話回線２を含むネットワークを利用して管理情報を送信する通信システムの構成例を説明したが、通信を確立した状態で管理情報を送信するリアルタイム通信方式を用いるシステムであれば、これに限られることはない。例えば、ＩＴＵ勧告Ｈ．３８や３２３等を用いて管理情報をネットワークを介して送信する構成に適用できる。
【００７１】
（２）上記実施の形態では、被管理装置をＭＦＰ、管理装置をセンターＰＣとした場合の通信システムの構成例を説明したが、被管理装置の状況を表わす装置情報に基づいて被管理装置を管理する通信システムであれば，これに限られないことはいうまでもない。例えば、被管理装置をプリンタ、複写機、ファクシミリ装置等の画像形成装置とすることができる。
【００７２】
また、上記実施の形態及び上記変形例をそれぞれ組み合わせるとしても良い。
【産業上の利用可能性】
【００７３】
本発明は、管理装置と被管理装置とがネットワークを介して接続され、前記被管理装置から管理情報を前記管理装置に送信する通信システムにおいて、管理情報の送信の即時性と共にセキュリティ性の向上を図りつつ通信時間の短縮化を図る技術として有用である。
【図面の簡単な説明】
【００７４】
【図１】第１の実施の形態に係る通信システム１の全体構成の一例を示す図である。
【図２】通信システム１に含まれるＭＦＰ１０の構成を示す図である。
【図３】ＭＦＰ１０の装置情報テーブル１１５の構成を示す図である。
【図４】ＭＦＰ１０の液晶表示部１５に表示される画面１２１の表示例を示す図である。
【図５】ＭＦＰ１０の全体暗号化情報テーブル１３１の構成を示す図である。
【図６】ＭＦＰ１０の液晶表示部１５に表示される画面１２５の表示例を示す図である。
【図７】ＭＦＰ１０の個別暗号化情報テーブル１３２の構成を示す図である。
【図８】ＭＦＰ１０が実行する送信処理の内容を示すフローチャートである。
【図９】上記送信処理における第１送信処理のサブルーチンの内容を示すフローチャートである。
【図１０】装置情報のデータ構成例の概略図である。
【図１１】上記送信処理における第２送信処理のサブルーチンの内容を示すフローチャートである。
【図１２】通信システム１に含まれるセンターＰＣ２０の構成を示す図である。
【図１３】センターＰＣ２０のタイムアウト情報テーブル２１１の構成を示す図である。
【図１４】センターＰＣ２０が実行する受信処理の一部の内容を示すフローチャートである。
【図１５】上記受信処理における一部の続きの内容を示すフローチャートである。
【図１６】上記受信処理における一部のさらに続きの内容を示すフローチャートである。
【図１７】第２の実施の形態に係る個別暗号化情報テーブル１３３の構成例を示す図である。
【図１８】第２の実施の形態に係る第１送信処理のサブルーチンの内容を示すフローチャートである。
【符号の説明】
【００７５】
１      通信システム
２      電話回線
１０      ＭＦＰ
２０      センターＰＣ
１０５、２０３      装置情報格納部
１０７      暗号化処理部
１０８      全体暗号化設定部
１０９      個別暗号化設定部
１１５      装置情報テーブル
１３１      全体暗号化情報テーブル
１３２、１３３      個別暗号化情報テーブル
２０２      全体制御部
２１１      タイムアウト情報テーブル
【図１】
2008131314.tif 000003
【図２】
2008131314.tif 000004
【図３】
2008131314.tif 000005
【図４】
2008131314.tif 000006
【図５】
2008131314.tif 000007
【図６】
2008131314.tif 000008
【図７】
2008131314.tif 000009
【図８】
2008131314.tif 000010
【図９】
2008131314.tif 000011
【図１０】
2008131314.tif 000012
【図１１】
2008131314.tif 000013
【図１２】
2008131314.tif 000014
【図１３】
2008131314.tif 000015
【図１４】
2008131314.tif 000016
【図１５】
2008131314.tif 000017
【図１６】
2008131314.tif 000018
【図１７】
2008131314.tif 000019
【図１８】
2008131314.tif 000020